(57)【要約】【課題】アンテナの配置スペースが従来技術に比較して小さくなっても、アンテナの感度を維持することができる電子機器を提供する。【解決手段】開口部を有する金属製の筐体を備えた電子機器であって、前記開口部に設けられた平面ループアンテナを備え、前記平面ループアンテナは、当該平面ループアンテナの面中心が前記開口部の面中心の位置と異なる位置に位置するように設けられる。また、前記平面ループアンテナは、当該平面ループアンテナの面中心が前記開口部の面中心の位置から所定の方向にシフトされるように設けられる。【選択図】図３
2016058825.tif 000002
【特許請求の範囲】
【請求項１】
開口部を有する金属製の筐体を備えた電子機器であって、
前記開口部に設けられた平面ループアンテナを備え、
前記平面ループアンテナは、当該平面ループアンテナの面中心が前記開口部の面中心の位置と異なる位置に位置するように設けられたことを特徴とする電子機器。
【請求項２】
前記平面ループアンテナは、当該平面ループアンテナの面中心が前記開口部の面中心の位置から所定の方向にシフトされるように設けられたことを特徴とする請求項１記載の電子機器。
【請求項３】
前記平面ループアンテナは矩形形状を有することを特徴とする請求項１又は２記載の電子機器。
【請求項４】
前記方向は、前記矩形形状の一辺に平行な方向であることを特徴とする請求項３記載の電子機器。
【請求項５】
前記方向は、前記矩形形状の一辺に対して所定の角度で傾斜した方向であることを特徴とする請求項３記載の電子機器。
【請求項６】
前記開口部は矩形形状を有し、
前記平面ループアンテナは、当該平面ループアンテナの矩形形状の少なくとも一辺が前記開口部の一辺に沿って設けられたことを特徴とする請求項３〜５のうちのいずれか１つに記載の電子機器。
【請求項７】
前記開口部は矩形形状を有し、
前記平面ループアンテナは、当該平面ループアンテナの矩形形状の少なくとも一辺が前記筐体内となるように設けられたことを特徴とする請求項３〜５のうちのいずれか１つに記載の電子機器。
【発明の詳細な説明】
【技術分野】
【０００１】
本開示は、例えばＦｅｌｉＣａ（登録商標）などの非接触ＩＣカードのためのリーダライタを備えた、例えば携帯型パーソナルコンピュータ、携帯型情報処理装置などの電子機器に関する。
【背景技術】
【０００２】
従来、携帯型情報処理装置のパームレスト部において例えばＦｅｌｉＣａ（登録商標）などの非接触ＩＣカードのためのリーダライタが設けられている。当該携帯型情報処理装置の堅牢性を有する金属筐体においては、当該リーダライタのアンテナを配置する位置には、開口部を設ける必要があり、開口部の中央部に当該リーダライタのアンテナを配置している（特許文献１の図４及び図８参照）。
【０００３】
また、非接触ＩＣカードの近傍に配置された導電体によるカップリング特性の低下を、磁性体を貼り付ける方法得以外の方法により抑制するために、開口部と、当該開口部から前記導電板の端部に至るスリットとを有する導体板を備えた近接型アンテナにおいて、アンテナパターンを、前記開口部とは平面的に見て重ならず、前記スリットの少なくとも一部と平面的に見て重なる位置に配置している（特許文献２参照）。
【先行技術文献】
【特許文献】
【０００４】
【特許文献１】特開２０１１−１３８４０３号公報
【特許文献２】特開２０１１−２４９９３６号公報
【発明の概要】
【発明が解決しようとする課題】
【０００５】
しかしながら、携帯型電子機器の小型化が進むに伴い、配置スペースおよびアンテナも、小型化する必要が生じ、アンテナの感度を維持することが困難になるという問題点があった。
【０００６】
本開示の目的は以上の問題点を解決し、アンテナの配置スペースが従来技術に比較して小さくなっても、アンテナの感度を維持することができる電子機器を提供することにある。
【課題を解決するための手段】
【０００７】
本開示の一態様に係る電子機器は、
開口部を有する金属製の筐体を備えた電子機器であって、
前記開口部に設けられた平面ループアンテナを備え、
前記平面ループアンテナは、当該平面ループアンテナの面中心が前記開口部の面中心の位置と異なる位置に位置するように設けられたことを特徴とする。
【発明の効果】
【０００８】
本開示に係る電子機器によれば、平面ループアンテナの配置スペースが従来技術に比較して小さくなっても、平面ループアンテナの形成領域を確保することができ、アンテナの感度を維持することができる。
【図面の簡単な説明】
【０００９】
【図１】実施形態１に係る携帯型パーソナルコンピュータの外観を示す斜視図である。
【図２】図１のリーダライタ１３０に非接触ＩＣカード２００を近接したときの構成を示すブロック図である。
【図３】図２の平面ループアンテナＬ１の位置を示す平面図である。
【図４】図２の非接触ＩＣカード２００の平面図である。
【図５】実施形態２に係る携帯型パーソナルコンピュータの平面ループアンテナＬ１の位置を示す平面図である。
【図６】実施形態３に係る携帯型パーソナルコンピュータの平面ループアンテナＬ１の位置を示す平面図である。
【図７】実施形態４に係る携帯型パーソナルコンピュータの平面ループアンテナＬ１の位置を示す平面図である。
【図８】実施形態５に係る携帯型パーソナルコンピュータの平面ループアンテナＬ１の位置を示す平面図である。
【図９】実施形態６に係る携帯型パーソナルコンピュータの平面ループアンテナＬ１の位置を示す平面図である。
【図１０】従来例に係る携帯型情報処理装置の平面ループアンテナの位置を示す平面図である。
【発明を実施するための形態】
【００１０】
図１０は従来例に係る携帯型情報処理装置の平面ループアンテナＬ３０１の位置を示す平面図である。当該携帯型情報処理装置の堅牢性を有する金属筐体３０２においては、当該リーダライタの平面ループアンテナＬ３０１を配置する位置には、開口部３０３を設ける必要があり、図１０に示すように、開口部３０３を塞ぐ蓋部３１０の裏側に装着されたリーダライタの平面ループアンテナＬ３０１が金属筐体３０２に近接しないように、開口部３０３の中央部に当該リーダライタの平面ループアンテナＬ３０１を配置している（特許文献１の図４及び図８参照）。ここで、開口部３０３の中心Ｏと平面ループアンテナＬ３０１の中心Ｏ７とは一致している。
【００１１】
以下、本開示に係る実施形態について図面を参照して説明する。なお、以下の各実施形態において、同様の構成要素については同一の符号を付している。
【００１２】
実施形態１．
図１は実施形態１に係る携帯型パーソナルコンピュータ１００の外観を示す斜視図である。また、図２は図１のリーダライタ１３０に非接触ＩＣカード２００を近接したときの構成を示すブロック図である。さらに、図３は図２の平面ループアンテナＬ１の位置を示す平面図である。
【００１３】
図１において、携帯型パーソナルコンピュータ１００のタッチパッド１０１の左側のパームレスト部１０２（金属製筐体の一部）において、矩形形状の開口部１０３が形成され、当該開口部１０３は、例えば樹脂である非金属にてなる矩形形状の蓋部１１０により閉じられる。開口部１０３及び蓋部１１０の各矩形形状は４つの角部が丸くなるように成型されてもよい。蓋部１１０の直下にリーダライタ１３０が載置され、蓋部１１０の裏側には前記リーダライタ１３０に接続された平面ループアンテナＬ１（図３）が設けられる。平面ループアンテナＬ１は、図３に示すように、矩形形状を有し、例えば複数回巻きのスパイラル形状を有する。蓋部１１０の奥行き方向中央部の左側に非接触ＩＣカードマーク１１１が形成され、ユーザが非接触ＩＣカードを載置するためのめやすの位置を示す。
【００１４】
図２において、リーダライタ１３０は、携帯型パーソナルコンピュータ１００のＣＰＵ１２０に接続される制御部１３１と、制御部１３１に接続される平面ループアンテナＬ１とを備えて構成される。ユーザが図１の蓋部１１０に非接触ＩＣカード２００を近接させたとき、平面ループアンテナＬ１と、非接触ＩＣカード２００の平面ループアンテナＬ２００とが磁界結合する。
【００１５】
非接触ＩＣカード２００は、平面ループアンテナＬ２００と、ＲＦＩＤチップ２１０とを備えて構成される。ここで、ＲＦＩＤチップ２１０は、電源回路２１１と、復調回路２１２と、変調回路２１３と、ＣＰＵ２２０と、例えばＥＥＰＲＯＭである不揮発性メモリ２２１と、暗号回路２２２とを備えて構成される。平面ループアンテナＬ２００には、電源回路２１１、復調回路２１２及び変調回路２１３が接続される。ＣＰＵ２２０には不揮発性メモリ２２１及び暗号回路２２２が接続されるとともに、復調回路２１２及び変調回路２１３が接続される。
【００１６】
図３において、携帯型パーソナルコンピュータ１００の横方向（左から右方向）をＸ方向とし、奥行き方向（奥から手前方向）をＹ方向とする。図３に示すように、パームレスト部１０２（金属製筐体の一部）において、矩形形状の開口部１０３が形成され、蓋部１１０の裏側には、リーダライタ１３０の平面ループアンテナＬ１が設けられる。平面ループアンテナＬ１は例えば四辺Ｓ１１〜Ｓ１４の矩形形状を有する一方、開口部１０３は例えば四辺Ｓ１〜Ｓ４の矩形形状を有する。ここで、平面ループアンテナＬ１の各辺Ｓ１１〜Ｓ１４が例えば矩形形状の開口部１０３の各辺Ｓ１〜Ｓ４に対して平行となるように、平面ループアンテナＬ１は設けられる。本実施形態では、平面ループアンテナＬ１は、当該平面ループアンテナＬ１の面中心Ｏ１が開口部１０３の面中心Ｏとは異なる位置であって、矢印２０１で示すように開口部１０３の面中心ＯからＸ方向にシフトされた位置になるように設けられる。ここで、平面ループアンテナＬ１の辺Ｓ１１〜Ｓ１３はそれぞれ金属筐体の開口部１０３の辺Ｓ１〜Ｓ３から所定の距離だけ離隔している。特に、平面ループアンテナＬ１の辺Ｓ１２と、開口部１０３の辺Ｓ２との距離を十分に大きく確保することができる。このため、金属製筐体の一部であるパームレスト部１０２による、磁界への影響をさらに低減できる。また、平面ループアンテナＬ１の辺Ｓ１４が開口部１０３のＹ方向の一辺Ｓ４に沿って延在するように、平面ループアンテナＬ１が設けられている。
【００１７】
図４は図２の非接触ＩＣカード２００の平面図である。図４において、非接触ＩＣカード２００には、その縁端部に沿って形成された平面ループアンテナＬ２００が内蔵され、ＲＦＩＤチップ２１０に接続される。平面ループアンテナＬ２００は例えば四辺Ｓ２０１〜Ｓ２０４の矩形形状を有し、例えば複数回巻きのスパイラル形状を有する。
【００１８】
以上のように構成されたリーダライタ１３０及び非接触ＩＣカード２００は以下のように動作する。
【００１９】
まず、ユーザが非接触ＩＣカード２００を、例えば非接触ＩＣカードマーク１１１を目標に例えば非接触ＩＣカード２００の面中心が当該非接触ＩＣカードマーク１１１に対向するように蓋部１１０上に載置する。このとき、平面ループアンテナＬ２００の辺Ｓ２０１は平面ループアンテナＬ１の辺Ｓ１１に対向するように近接し、平面ループアンテナＬ２００の辺Ｓ２０２は平面ループアンテナＬ１の辺Ｓ１２に対向するように近接し、平面ループアンテナＬ２００の辺Ｓ２０３は平面ループアンテナＬ１の辺Ｓ１３に対向するように近接する。以上の状態では、平面ループアンテナＬ１の三辺Ｓ１１〜Ｓ１３がそれぞれ平面ループアンテナＬ２００の三辺Ｓ１〜Ｓ３と対向するように近接しているが、少なくとも各一辺で近接すればよい。これにより、平面ループアンテナＬ２００は平面ループアンテナＬ１とは磁界結合できる。
【００２０】
次いで、リーダライタ１３０の制御部１３１は平面ループアンテナＬ１から微弱電波を発生させる。非接触ＩＣカード２００の電源回路２１１は、平面ループアンテナＬ２００を介してリーダライタ１３０から放射された微弱電波から電磁誘導によって電力を取得し、取得された電力が所定値を上回ったときに非接触ＩＣカード２００内のＣＰＵ２２０を起動させる。次いで、リーダライタ１３０は所定のデータ信号に従って微弱電波を変調して非接触ＩＣカード２００に送信する。変調された微弱電波を受信した非接触ＩＣカード２００は、その負荷を切り替えることによりリーダライタ１３０にデータ信号を返信する。リーダライタ１３０は非接触ＩＣカード２００内の負荷変動を、平面ループアンテナＬ２００を介して平面ループアンテナＬ１の負荷変動として検出することで、返信されたデータ信号を受信する。
【００２１】
以上説明したように、本実施形態では、リーダライタ１３０の平面ループアンテナＬ１と、非接触ＩＣカード２００の平面ループアンテナＬ２００とは少なくとも一辺で互いに近接して磁界結合することで、電力を伝送し、また、データ信号を送受信することができる。
【００２２】
以上のように構成された本実施形態によれば、平面ループアンテナＬ１は、当該平面ループアンテナＬ１の面中心Ｏ１が開口部１０３の面中心Ｏとは異なる位置であって、面中心ＯからＸ方向にシフトされた位置になるように設けられる。従って、例えば開口部１０３のＹ方向の幅が元の幅よりも狭くなっても、リーダライタ１３０の平面ループアンテナＬ１の三辺Ｓ１１〜Ｓ１３のうちの少なくとも一辺を介して非接触ＩＣカード２００の平面ループアンテナＬ２００と磁界結合できる。すなわち、平面ループアンテナＬ１の形成領域を確保することができ、平面ループアンテナＬ１の感度を維持することができる。
【００２３】
実施形態２．
図５は実施形態２に係る携帯型パーソナルコンピュータの平面ループアンテナＬ２の位置を示す平面図である。実施形態２に係る平面ループアンテナＬ２は、図３の実施形態１に係る平面ループアンテナＬ２の位置に比較して、以下のように設けたことを特徴としている。
（１）平面ループアンテナＬ２は例えば四辺Ｓ２１〜Ｓ２４の矩形形状を有し、当該平面ループアンテナＬ２の面中心Ｏ２が開口部１０３の面中心Ｏとは異なる位置であって、矢印２０２で示すように開口部１０３の面中心ＯからＸ方向にシフトされた位置になるように設けられることは同じであるが、そのずれ量を大きくして、平面ループアンテナＬ２の辺Ｓ２４がパームレスト部１０２（筐体の一部）の下に隠れており筐体内に位置する。
【００２４】
本実施形態では、特に、平面ループアンテナＬ２の辺Ｓ２２と、開口部１０３の辺Ｓ２との距離を十分に大きく確保することができる。このため、金属製筐体の一部であるパームレスト部１０２による、磁界への影響をさらに低減できる。
【００２５】
以上のように構成することにより、平面ループアンテナＬ２の辺Ｓ２４では、非接触ＩＣカード２００とは磁界結合できないが、平面ループアンテナＬ２の他の辺Ｓ２１〜Ｓ２３の少なくとも１つの辺では磁界結合可能である。従って、例えば開口部１０３のＹ方向の幅が図３の実施形態１の幅よりも狭くなっても、リーダライタ１３０の平面ループアンテナＬ２の三辺Ｓ２１〜Ｓ２３のうちの少なくとも一辺を介して非接触ＩＣカード２００の平面ループアンテナＬ２００と磁界結合できる。すなわち、平面ループアンテナＬ２の形成領域を確保することができ、平面ループアンテナＬ２の感度を維持することができる。
【００２６】
実施形態３．
図６は実施形態３に係る携帯型パーソナルコンピュータの平面ループアンテナＬ３の位置を示す平面図である。実施形態３に係る平面ループアンテナＬ３は、図３の実施形態１に係る平面ループアンテナＬ３の位置に比較して、以下のように設けたことを特徴としている。
（１）平面ループアンテナＬ３は例えば四辺Ｓ３１〜Ｓ３４の矩形形状を有し、Ｌ３当該平面ループアンテナＬ３の面中心Ｏ３が開口部１０３の面中心Ｏとは異なる位置であって、矢印２０３で示すように開口部１０３の面中心ＯからＹ方向にシフトされた位置になるように設けられている。
（２）ここで、平面ループアンテナＬ３の辺Ｓ３３は開口部１０３の辺Ｓ３に沿って延在している。
【００２７】
本実施形態では、特に、平面ループアンテナＬ３の辺Ｓ３１と、開口部１０３の辺Ｓ１との距離を十分に大きく確保することができる。このため、金属製筐体の一部であるパームレスト部１０２による、磁界への影響をさらに低減できる。
【００２８】
以上のように構成することにより、平面ループアンテナＬ３の辺Ｓ３１〜Ｓ３２，Ｓ３４の少なくとも１つの辺では磁界結合可能である。従って、例えば開口部１０３のＸ方向の長さが図３の実施形態１の長さよりも小さくなっても、リーダライタ１３０の平面ループアンテナＬ３の三辺Ｓ３１〜Ｓ３２，Ｓ３４のうちの少なくとも一辺を介して非接触ＩＣカード２００の平面ループアンテナＬ２００と磁界結合できる。すなわち、平面ループアンテナＬ３の形成領域を確保することができ、平面ループアンテナＬ３の感度を維持することができる。
【００２９】
実施形態４．
図７は実施形態４に係る携帯型パーソナルコンピュータの平面ループアンテナＬ４の位置を示す平面図である。実施形態４に係る平面ループアンテナＬ４は、図６の実施形態３に係る平面ループアンテナＬ４の位置に比較して、以下のように設けたことを特徴としている。
（１）平面ループアンテナＬ４は例えば四辺Ｓ４１〜Ｓ４４の矩形形状を有し、Ｌ４当該平面ループアンテナＬ４の面中心Ｏ４が開口部１０３の面中心Ｏとは異なる位置であって、矢印２０４で示すように開口部１０３の面中心ＯからＹ方向にシフトされた位置になるように設けられることは同じであるが、そのずれ量を大きくして、平面ループアンテナＬ４の辺Ｓ４３がパームレスト部１０２（筐体の一部）の下に隠れており筐体内に位置する。
【００３０】
本実施形態では、特に、平面ループアンテナＬ４の辺Ｓ４１と、開口部１０３の辺Ｓ１との距離を十分に大きく確保することができる。このため、金属製筐体の一部であるパームレスト部１０２による、磁界への影響をさらに低減できる。
【００３１】
以上のように構成することにより、平面ループアンテナＬ４の辺Ｓ４３では、非接触ＩＣカード２００とは磁界結合できないが、平面ループアンテナＬ４の他の辺Ｓ４１〜Ｓ４２，Ｓ４４の少なくとも１つの辺では磁界結合可能である。従って、例えば開口部１０３のＸ方向の長さ図６の実施形態３の長さよりも小さくなっても、リーダライタ１３０の平面ループアンテナＬ４の三辺Ｓ４１〜Ｓ４２，Ｓ４４のうちの少なくとも一辺を介して非接触ＩＣカード２００の平面ループアンテナＬ２００と磁界結合できる。すなわち、平面ループアンテナＬ４の形成領域を確保することができ、平面ループアンテナＬ４の感度を維持することができる。
【００３２】
実施形態５．
図８は実施形態５に係る携帯型パーソナルコンピュータの平面ループアンテナＬ５の位置を示す平面図である。実施形態５に係る平面ループアンテナＬ５は、図３の実施形態１に係る平面ループアンテナＬ５の位置に比較して、以下のように設けたことを特徴としている。
（１）平面ループアンテナＬ５は例えば四辺Ｓ５１〜Ｓ５４の矩形形状を有し、Ｌ５当該平面ループアンテナＬ５の面中心Ｏ５が開口部１０３の面中心Ｏとは異なる位置であって、矢印２０５で示すように開口部１０３の面中心ＯからＸ方向及びＹ方向からそれぞれ４５度傾斜された方向にシフトされた位置になるように設けられる。
（２）ここで、平面ループアンテナＬ５の辺Ｓ５３が開口部１０３の辺Ｓ３に沿って延在し、また、平面ループアンテナＬ５の辺Ｓ５４は開口部１０３の辺Ｓ４に沿って延在している。
【００３３】
本実施形態では、特に、平面ループアンテナＬ５の辺Ｓ５１，Ｓ５２と、開口部１０３の辺Ｓ１，Ｓ２との各距離を十分に大きく確保することができる。このため、金属製筐体の一部であるパームレスト部１０２による、磁界への影響をさらに低減できる。
【００３４】
以上のように構成することにより、平面ループアンテナＬ５の辺Ｓ５３，Ｓ５４では、非接触ＩＣカード２００とは磁界結合が困難になるかもしれないが、平面ループアンテナＬ５の他の辺Ｓ５１〜Ｓ５２の少なくとも１つの辺では磁界結合可能である。従って、例えば開口部１０３のＹ方向の幅及びＸ方向の長さが図３の実施形態１のそれらよりも小さくなっても、リーダライタ１３０の平面ループアンテナＬ５の二辺Ｓ５１〜Ｓ５２のうちの少なくとも一辺を介して非接触ＩＣカード２００の平面ループアンテナＬ２００と磁界結合できる。すなわち、平面ループアンテナＬ５の形成領域を確保することができ、平面ループアンテナＬ５の感度を維持することができる。
【００３５】
なお、平面ループアンテナＬ５の位置において、開口部１０３の面中心ＯからＸ方向及びＹ方向からそれぞれ傾斜された方向にずれるときの角度は４５度には限定されない。
【００３６】
実施形態６．
図９は実施形態６に係る携帯型パーソナルコンピュータの平面ループアンテナＬ６の位置を示す平面図である。実施形態６に係る平面ループアンテナＬ６は、図３の実施形態１に係る平面ループアンテナＬ６の位置に比較して、以下のように設けたことを特徴としている。
（１）平面ループアンテナＬ６は例えば四辺Ｓ６１〜Ｓ６４の矩形形状を有し、Ｌ６当該平面ループアンテナＬ６の面中心Ｏ６が開口部１０３の面中心Ｏとは異なる位置であって、矢印２０５で示すように開口部１０３の面中心ＯからＸ方向及びＹ方向からそれぞれ６０度、３０度傾斜された方向にシフトされた位置になるように設けられる。
（２）ここで、平面ループアンテナＬ６の辺Ｓ６３がパームレスト部１０２（筐体の一部）の下に隠れており筐体内に位置する。また、平面ループアンテナＬ６の辺Ｓ６４は開口部１０３の辺Ｓ４に沿って延在している。
【００３７】
本実施形態では、特に、平面ループアンテナＬ６の辺Ｓ６１，Ｓ６２と、開口部１０３の辺Ｓ１，Ｓ２との各距離を十分に大きく確保することができる。このため、金属製筐体の一部であるパームレスト部１０２による、磁界への影響をさらに低減できる。
【００３８】
以上のように構成することにより、平面ループアンテナＬ６の辺Ｓ６３では、非接触ＩＣカード２００とは磁界結合できず、平面ループアンテナＬ６の辺Ｓ６４では、非接触ＩＣカード２００とは磁界結合が困難となるが、平面ループアンテナＬ６の他の辺Ｓ６１〜Ｓ６２の少なくとも１つの辺では磁界結合可能である。従って、例えば開口部１０３のＹ方向の幅及びＸ方向の長さが図３の実施形態１のそれらよりも小さくなっても、リーダライタ１３０の平面ループアンテナＬ６の二辺Ｓ６１〜Ｓ６２のうちの少なくとも一辺を介して非接触ＩＣカード２００の平面ループアンテナＬ２００と磁界結合できる。すなわち、平面ループアンテナＬ６の形成領域を確保することができ、平面ループアンテナＬ６の感度を維持することができる。
【００３９】
なお、平面ループアンテナＬ６の位置において、開口部１０３の面中心ＯからＸ方向及びＹ方向からそれぞれ傾斜された方向にずれるときの傾斜の各角度は前記の角度には限定されない。
【００４０】
なお、実施形態５及び６では、平面ループアンテナＬ５，Ｌ６の少なくとも二辺Ｓ５１，Ｓ５２，もしくはＳ６１，Ｓ６２を用いて非接触ＩＣカード２００の平面ループアンテナＬ２００と磁界結合可能であるが、例えば開口部１０３のＸ方向の長さをさらに大幅に小さくしても、平面ループアンテナＬ５，Ｌ６の少なくとも二辺Ｓ５１，Ｓ５２，もしくはＳ６１，Ｓ６２を用いて非接触ＩＣカード２００の平面ループアンテナＬ２００と磁界結合可能である。すなわち、平面ループアンテナＬ５，Ｌ６の少なくとも一辺がパームレスト部１０２の筐体で隠れないようにすれば、非接触ＩＣカード２００とは磁界結合可能である。
【００４１】
変形例．
以上の実施形態においては、携帯型パーソナルコンピュータの平面ループアンテナＬ１について説明しているが、本開示はこれに限らず、携帯型情報処理装置などの電子機器の平面ループアンテナＬ１〜Ｌ６に適用できる。
【産業上の利用可能性】
【００４２】
本開示に係る電子機器は、例えばＦｅｌｉＣａ（登録商標）などの非接触ＩＣカードのためのリーダライタを備えた、例えば携帯型パーソナルコンピュータ、携帯型情報処理装置などの電子機器に適用できる。
【符号の説明】
【００４３】
１００…携帯型パーソナルコンピュータ、
１０２…パームレスト部、
１０３…開口部、
１１０…蓋部、
１１１…非接触ＩＣカードマーク、
２００…非接触ＩＣカード、
２１０…ＲＦＩＤチップ、
Ｌ１〜Ｌ６，Ｌ２００…平面ループアンテナ、
Ｏ…開口部の面中心、
Ｏ１〜Ｏ６…平面ループアンテナの面中心。
【図１】
2016058825.tif 000003
【図２】
2016058825.tif 000004
【図３】
2016058825.tif 000005
【図４】
2016058825.tif 000006
【図５】
2016058825.tif 000007
【図６】
2016058825.tif 000008
【図７】
2016058825.tif 000009
【図８】
2016058825.tif 000010
【図９】
2016058825.tif 000011
【図１０】
2016058825.tif 000012